(57)【要約】【課題】  最下段に配置される内ケースの出し入れをスムーズに行うことが可能で、使用性に優れた収納ケースの提供。【解決手段】  本考案の収納ケースＡは、内部が中空で前方に開口したケース本体１と、ケース本体１の開口から着脱可能に装着され、上方に開口したボックス形の内ケース２とを備える。内ケース２は、その前面２２下部から前方に突出するペダル体３を有し、また、両側面２１，２１は、前面２２よりも低く形成されており、ペダル体３の下方への押し下げ操作により、内ケース２が前方に傾動して、その上方開口部２３がケース本体１から露出されるよう、前傾状態に揺動可能に装着されている。また、内ケース２の両側面２１，２１の上部には、その上端辺から切欠き６が形成されている。【選択図】      図１
0003105988.tif 000002
【実用新案登録請求の範囲】
【請求項１】
内部が中空で前方に開口したケース本体と、
このケース本体の開口から着脱可能に装着され、上方に開口したボックス形の内ケースと、を備える収納ケースであって、
前記内ケースの両側面が、前面よりも低く形成され、その両側面の上部に上端辺から切欠きが形成され、さらに、内ケースは、その前面下部から前方に突出するペダル体を有しており、
前記ペダル体の下方への押し下げ操作により、前記内ケースが前方に傾動して、その上方開口部がケース本体から露出されるよう、前傾状態に揺動可能に装着されることを特徴とする収納ケース。
【請求項２】
前記ペダル体に、その後端上部から後方に延出する板状の延出部が設けられると共に、前記内ケースの底板の前部に、縦断面が前方に開口した略コ字形で、前記延出部を保持可能な保持穴が形成され、
前記ペダル体が、内ケースに対して着脱可能とされていることを特徴とする請求項１に記載の収納ケース。
【請求項３】
前記保持穴の上壁から下壁に渡って、前後方向に縦長な仕切壁が設けられると共に、前記延出部に、保持穴に延出部を挿入した際、前記仕切壁に係合可能なスリットが設けられ、
前記ペダル体が、内ケースの保持穴に対して前後方向にスライド可能に保持されていることを特徴とする請求項２に記載の収納ケース。
【請求項４】
前記延出部に、後方に開口したコ字形状溝が形成され、このコ字形状溝に囲まれる領域が揺動片とされると共に、前記揺動片の前端部に、左右方向に沿って、下方に膨出した膨出部が設けられ、
前記保持穴の下壁に、保持穴に延出部を挿入した際、前記膨出部を収容可能な穴が形成されていることを特徴とする請求項２又は請求項３に記載の収納ケース。
【請求項５】
前記膨出部の縦断面が、その前面は略垂直面に形成され、後面は上方に傾斜した傾斜面とされた略三角形状であることを特徴とする請求項４に記載の収納ケース。
【請求項６】
前記ペダル体の後端下部には、左右方向に沿って支軸が設けられると共に、前記ケース本体の底板の前端には、前記支軸を収容する収容部が形成されていることを特徴とする請求項１から請求項５までのいずれかに記載の収納ケース。
【請求項７】
前記内ケースの両側面は、その上端辺が、前方部において水平とされ、後方部において下方へ傾斜した略台形に形成されており、この後方傾斜部が、内ケースが前傾状態に揺動した際の、前記ケース本体の上面との当接部とされることを特徴とする請求項１から請求項６までのいずれかに記載の収納ケース。
【請求項８】
前記切欠きは、略Ｖ字状であり、その下端部には小径の丸穴が形成されていることを特徴とする請求項１から請求項７までのいずれかに記載の収納ケース。
【請求項９】
前記切欠きは、内ケースの両側面に対応した位置に複数個形成されていることを特徴とする請求項１から請求項８までのいずれかに記載の収納ケース。
【請求項１０】
前記切欠きは、少なくとも内ケースの前端部には、それぞれ形成されていることを特徴とする請求項１から請求項９までのいずれかに記載の収納ケース。
【請求項１１】
前記切欠きは、ビニール袋等をその口を開いた状態で引っ掛けて保持するものであり、
これにより、前記内ケースは、分別容器として使用可能とされることを特徴とする請求項１から請求項１０までのいずれかに記載の収納ケース。
【請求項１２】
前記ペダル体の上面には、上方に膨出したスットッパーが形成されていることを特徴とする請求項１から請求項１１までのいずれかに記載の収納ケース。
【請求項１３】
前記ケース本体の底部後端の左右両端に、キャスターが設けられていることを特徴とする請求項１から請求項１２までのいずれかに記載の収納ケース。
【考案の詳細な説明】
【技術分野】
【０００１】
本考案は、ペダル体を有し、ケース本体に装着された内ケースが、ペダル体の足踏み操作で、前方に傾動して、その上方開口部がケース本体から露出する収納ケースに関するものである。
【背景技術】
【０００２】
近年、資源の再利用等のために、ゴミの分別収集がより細分化されてきており、家庭では各ゴミのために多数のゴミ箱を用意する必要があった。また、台所等にゴミ箱を多数設置することで、見栄えが悪くなってしまうという問題も生じた。かかる事情に鑑み、外ケースに引き出し可能に装着される内ケースであって、その両側面の上部には切欠きが形成された収納ケース用内ケースが提案されている（特許文献１参照）。
【特許文献１】実用新案登録第３０９０２２７号公報
【考案の開示】
【考案が解決しようとする課題】
【０００３】
しかしながら、上記で提案されている収納ケース用内ケースは、外ケースに対して引出し式とされているので、当該収納ケース複数段積み重ねて使用する場合、一番下に配置される内ケースを出し入れするのに、屈む必要があり、特に、お年寄りには使用しづらいものであった。
【０００４】
本考案は、かかる事情に鑑みてなされたものであり、最下段に配置される内ケースの出し入れをスムーズに行うことが可能で、使用性に優れた収納ケースの提供を目的とする。
【課題を解決するための手段】
【０００５】
上記の課題を解決するため、請求項１に記載の収納ケースは、内部が中空で前方に開口したケース本体と、このケース本体の開口から着脱可能に装着され、上方に開口したボックス形の内ケースとを備える収納ケースであって、前記内ケースの両側面が、前面よりも低く形成され、その両側面の上部に上端辺から切欠きが形成され、さらに、内ケースは、その前面下部から前方に突出するペダル体を有しており、前記ペダル体の下方への押し下げ操作により、前記内ケースが前方に傾動して、その上方開口部がケース本体から露出されるよう、前傾状態に揺動可能に装着されることを特徴とする。
【０００６】
請求項２に記載の収納ケースは、請求項１に記載の構成に加えて、前記ペダル体に、その後端上部から後方に延出する板状の延出部が設けられると共に、前記内ケースの底板の前部に、縦断面が前方に開口した略コ字形で、前記延出部を保持可能な保持穴が形成され、前記ペダル体が、内ケースに対して着脱可能とされていることを特徴とする。
【０００７】
請求項３に記載の収納ケースは、請求項２に記載の構成に加えて、前記保持穴の上壁から下壁に渡って、前後方向に縦長な仕切壁が設けられると共に、前記延出部に、保持穴に延出部を挿入した際、前記仕切壁に係合可能なスリットが設けられ、前記ペダル体が、内ケースの保持穴に対して前後方向にスライド可能に保持されていることを特徴とする。
【０００８】
請求項４に記載の収納ケースは、請求項２又は請求項３に記載の構成に加えて、前記延出部に、後方に開口したコ字形状溝が形成され、このコ字形状溝に囲まれる領域が揺動片とされると共に、前記揺動片の前端部に、左右方向に沿って、下方に膨出した膨出部が設けられ、前記保持穴の下壁に、保持穴に延出部を挿入した際、前記膨出部を収容可能な穴が形成されていることを特徴とする。
【０００９】
請求項５に記載の収納ケースは、請求項４に記載の構成に加えて、前記膨出部の縦断面が、その前面は略垂直面に形成され、後面は上方に傾斜した傾斜面とされた略三角形状であることを特徴とする。
【００１０】
請求項６に記載の収納ケースは、請求項１から請求項５までのいずれかに記載の構成に加えて、前記ペダル体の後端下部には、左右方向に沿って支軸が設けられると共に、前記ケース本体の底板の前端には、前記支軸を収容する収容部が形成されていることを特徴とする。
【００１１】
請求項７に記載の収納ケースは、請求項１から請求項６までのいずれかに記載の構成に加えて、前記内ケースの両側面は、その上端辺が、前方部において水平とされ、後方部において下方へ傾斜した略台形に形成されており、この後方傾斜部が、内ケースが前傾状態に揺動した際の、前記ケース本体の上面との当接部とされることを特徴とする。
【００１２】
請求項８に記載の収納ケースは、請求項１から請求項７までのいずれかに記載の構成に加えて、前記切欠きは、略Ｖ字状であり、その下端部には小径の丸穴が形成されていることを特徴とする。
【００１３】
請求項９に記載の収納ケースは、請求項１から請求項８までのいずれかに記載の構成に加えて、前記切欠きは、内ケースの両側面に対応した位置に複数個形成されていることを特徴とする。
【００１４】
請求項１０に記載の収納ケースは、請求項１から請求項９までのいずれかに記載の構成に加えて、前記切欠きは、少なくとも内ケースの前端部には、それぞれ形成されていることを特徴とする。
【００１５】
請求項１１に記載の収納ケースは、請求項１から請求項１０までのいずれかに記載の構成に加えて、前記切欠きは、ビニール袋等をその口を開いた状態で引っ掛けて保持するものであり、これにより、前記内ケースは、分別容器として使用可能とされることを特徴とする。
【００１６】
請求項１２に記載の収納ケースは、請求項１から請求項１１までのいずれかに記載の構成に加えて、前記ペダル体の上面には、上方に膨出したスットッパーが形成されていることを特徴とする。
【００１７】
請求項１３に記載の収納ケースは、請求項１から請求項１２までのいずれかに記載の構成に加えて、前記ケース本体の底部後端の左右両端に、キャスターが設けられていることを特徴とする。
【考案の効果】
【００１８】
本考案の収納ケースは、内ケースにペダル体が設けられているので、内ケースの出し入れをスムーズに行うことができ、使用性に優れたものである。
【考案を実施するための最良の形態】
【００１９】
以下、本考案の収納ケースについて、図面を参照しながら説明するが、本考案はこれらの実施例に記載されたもののみに限定されるものではない。
【００２０】
図１は、本考案の一実施例を示す収納ケースＡの外観斜視図であり、内ケース２を前方に傾動した状態を示している。図２は、図１におけるＸ−Ｘ断面図である。
【００２１】
これらの図に示すように、本実施例の収納ケースＡは、最下段用のケース本体１と、ケース本体１の開口から出し入れ自在である内ケース２を備え、内ケース２には、その前面２２の下部から前方に突出するペダル体３が設けられている。
【００２２】
本実施例ではケース本体１の上に他のケース本体Ｂを積み重ねて使用しているが、複数個のケース本体Ｂを上に積み重ねて使用してもよいし、ケース本体１を一段だけで使用してもよい。ケース本体１の上に他のケース本体Ｂを積み重ねて使用する場合、ケース本体１に蓋を取り付けてから、他のケース本体Ｂを単に載置する構成でもよいが、本実施例のように、ケース本体１の上面に蓋を設ける代わりに、他のケース本体Ｂの下端縁をはめ込んで連結し、最上段のケース本体Ｂの上面のみに蓋４を設ける構成とするのが好ましい。一方、ケース本体１を一段だけで使用する場合は、ケース本体１の上面に蓋４を設ける構成とすればよい。
【００２３】
内ケース２は、上方に開口したボックス形とされており、両側面２１，２１が、前面２２よりも低く形成されている。このような構成にすることで、内ケース２の前面２２に設けられたペダル体３を下方へ押し下げることにより、内ケース２が前方にスムーズに傾動して、その上方開口部２３がケース本体１から露出され、前傾状態に揺動可能とされている。従って、足でペダル体３を軽く踏むだけで、内ケース２内に雑貨等を収納することができる。また、内ケース２の前面２の上部には前方に突出して取手５が設けられており、内ケース２を引出し式としても使用することも可能である。
【００２４】
また、図２に示すように、ケース本体１の底部後端の左右両端に、キャスター１７，１７が設けられていてもよい。このような構成にすることにより、内ケース２の取手５を持ち上げることにより、収納ケースＡを容易に移動させることができる。
【００２５】
本実施例では、内ケース２の両側面２１，２１の上端辺は、前方部２ａ，２ａでは水平とされ、後方部２ｂ，２ｂでは下方へ傾斜しており、両側面２１，２１の形状が、略台形に形成されている。この後方傾斜部２ｂ，２ｂは、内ケース２が前傾状態に傾動した際、ケース本体１の上面１ａとの当接部となる。従って、この後方傾斜部２ｂ，２ｂの長さ、傾斜角を調整することで、内ケース２の上方開口部２３のケース本体１からの露出面積を調整することができる。また、この後方傾斜部２ｂ，２ｂを設けることにより、内ケース２の両側面２１，２１の前方部２ａ，２ａの高さを、後方傾斜部２ｂ，２ｂを設けないときに比べて高く設定することができ、内ケース２の容積をより大きくすることができる。
【００２６】
また、内ケース２の両側面２１，２１の上部には、その上端辺から切欠き６が形成され、その下端部には小径の丸穴７が形成されている。本考案の収納ケースは、台所や押入れ等に配置して、小物入れや衣装ケース等として利用できる他、分別容器、特に、ゴミ箱としても利用可能である。収納ケースをゴミ箱として使用する際には、スーパーやコンビニエンスストアの買い物袋等のビニール袋等を、この内ケース２に取り付けて使用すると、内ケース２内が汚れず清潔に使用することができ、ゴミの取り出し時にも便利である。通常、ビニール袋１８には、両側面の上端部に持ち手部１８ａ，１８ａが形成されている。
【００２７】
そこで、この持ち手部１８ａ，１８ａをビニール袋１８の口を広げるように、それぞれ左右に広げ、図２に示すように、各持ち手部１８ａ，１８ａを内ケース２の両側面２１，２１の切欠き６，６にそれぞれ掛けまわして取り付ける。本実施例では、図１及び図２に示すように、切欠き６は、略Ｖ字状であり、その下端部には小径の丸穴７が形成されているので、切欠き６に持ち手部１８ａを差し込み、丸穴７まで押し込めば、ビニール袋１８を取り付けることができる。また、略Ｖ字の切欠き６の下端部は、丸穴７の直径より幅狭なので、取り付けたビニール袋１８の持ち手部１８ａが、上方に勝手に内ケース２から外れることはない。なお、本実施例では、内ケース２の両側面２１，２１から後面２４にかけて、外方へ突出して断面が逆Ｌ字状のリブ８が一体形成されている。よって、内ケース２の両側面２１，２１とケース本体１の両側板１ｂ，１ｂの内面との間に隙間が生じるので、切欠き６に掛けまわしたビニール袋１８の持ち手部１８ａ，１８ａが、内ケース２が揺動する際に、邪魔になることがない。
【００２８】
また、この切欠き６は、両側面２１，２１に対応した位置にそれぞれ形成され、本実施例では、両側面２１，２１の各前端部に形成され、さらに前方部２ａ，２ａの後部から後方傾斜部２ｂ，２ｂの前部にかかる間に複数個所定間隔で形成されている。従って、ビニール袋の大きさ、形状等に応じて、隣接する切欠き６，６に各持ち手部１８ａ，１８ａを掛けまわしてもよいし、離間する切欠き６，６に各持ち手部１８ａ，１８ａを掛けまわしてもよい。また、両側面２１，２１の各前端部に形成された切欠き６，６から後方に形成された切欠き６，６にビニール袋１８を掛けまわすことで、内ケース２を前方に傾動させた際、すぐにビニール袋１８内にゴミを投入できるので、内ケース２内が汚れにくく好適である。具体的には、内ケース２を前方に傾動させた際に、その上方開口部２３がケース本体１から露出される部分を、ほぼ完全にビニール袋１８で覆うようにする観点から、側面２１の前端部に形成される切欠き６とそれに隣接する切欠き６との間を約８ｃｍとし、残りの切欠き６の間隔を約３ｃｍとするのが好ましい。さらに、内ケース２を引出し式に用いる場合においても、両側面２１，２１に切欠き６が複数個形成されているので、ビニール袋１８を複数個取り付けることが可能であり、ゴミの分別用としても使用することができる。
【００２９】
そして、内ケース２に取り付けられたビニール袋１８内にゴミがたまって、ビニール袋１８を取り外す際には、持ち手部１８ａを持って取り外せば、手を汚すことがない。
【００３０】
図３は、内ケース２に対するペダル体３の取り付け方法を示している。図４は、ペダル体３の平面図であり、図５は、ペダル体３の右側面図である。また、図６は、図２におけるＳ部分の拡大図であり、図７は、図６におけるＹ−Ｙ断面図である。
【００３１】
これらの図に示すように、本実施例では、ペダル体３は、内ケース２から着脱可能とされており、その後端上部から後方に延出する板状の延出部９が設けられ、内ケース２の底板２５の前部には、図３及び図６に示すように、縦断面が前方に開口した略コ字形の保持穴１０が形成されている。この保持穴１０は、ペダル体３に設けられた延出部９を保持可能な形状とされている。このような構成にすることで、ペダル体３を内ケース２から取り外すことでき、収納ケースＡをよりコンパクトに梱包することができる。
【００３２】
また、内ケース２の保持穴１０の上壁１０ａから下壁１０ｂに渡って、前後方向に縦長な仕切壁１１，１１が設けられており、これに対応して、ペダル体３に設けられた延出部９に、スリット１２，１２が形成されている。このような構成にすることにより、内ケース２の保持穴１０に、ペダル体３に設けられた延出部９を挿入した際、スリット１２，１２に仕切壁１１，１１が係合し、ペダル体３が、内ケース２の保持穴１０に対して前後方向にスライド可能に保持されると共に、内ケース２に対するペダル体３の取り付けを強固にすることができる。また、本実施例では、延出部９に形成された２つのスリット１２，１２により、延出部９が３つの領域に区分けされており、その各領域の左右両端辺には、上方に突出して突出片１２ａが設けられている。この突出片１２ａの上端は、図７に示すように、保持穴１０に延出部９を挿入した際、保持穴１０の上壁１０ａに当接し、内ケース２に対するペダル体３の取り付けをより強固にしている。
【００３３】
さらに、延出部９に、後方に開口したコ字形状溝１３，１３が形成され、このコ字形状溝１３，１３に囲まれる領域が揺動片１３ａ，１３ａとされると共に、揺動片１３ａ，１３ａの前端部には、左右方向に沿って、下方に膨出した膨出部１３ｂ，１３ｂが設けられている。この膨出部１３ｂ，１３ｂに対応して、内ケース２の保持穴１０の下壁１０ｂに、穴１４，１４が形成されている。このような構成にすることにより、内ケース２の保持穴１０に、ペダル体３に設けられた延出部９を挿入する際、揺動片１３ａ，１３ａが上方に押し上げられて、膨出部１３ｂ，１３ｂが穴１４，１４に収容される。よって、ペダル体３が内ケース２から簡単に抜けることがない。また、本実施例では、膨出部１３ｂ，１３ｂは、縦断面が略三角形とされ、その前面は略垂直面に形成され、後面は上方に傾斜した傾斜面とされている。このような形状にすることで、保持穴１０へ延出部９を挿入するのに要する力が少なくてすむ。
【００３４】
図８は、ケース本体に対する内ケース２の装着方法を示す図であり、図９は、図６におけるＺ−Ｚ矢視図である。これらに示すように、ケース本体１の底板１ｂの前端には、ペダル体３を収容可能な凹部１ｃが設けられている。また、ペダル体３の後端下部に、左右方向に沿って、外方に突出して支軸１５，１５が設けられると共に、前記凹部１ｃの左右両端部に、支軸１５，１５を収容する収容部１６，１６が形成されている。このように、支軸１５，１５を介して、ケース本体１と内ケース２が一体となることにより、ペダル体３を下方に押し下げて、内ケース２を前方に傾動させる際に、内ケース２がケース本体１から外れることがない。なお、本実施例では、ペダル体３の後端下部に、外方に突出して支軸１５，１５が設けられているが、左右方向に沿って縦長の一本の支軸としてもよい。
【００３５】
なお、本実施例では、ペダル体３の上面には、上方に膨出した左右方向に縦長のスットッパー３ａが形成されており、ペダル体３を足で踏み込む際に、足が滑らず好適である。
【図面の簡単な説明】
【００３６】
【図１】本考案の収納ケースの一実施例を示す外観斜視図である。
【図２】図１におけるＸ−Ｘ断面図である。
【図３】本考案の収納ケースの内ケースに対するペダル体の取り付け方法を示す図である。
【図４】本考案の収納ケースの内ケースに取り付けられるペダル体の平面図である。
【図５】図４のペダル体の右側面図である。
【図６】図２におけるＳ部分の拡大図である。
【図７】図６におけるＹ−Ｙ断面図である。
【図８】本考案の収納ケースのケース本体に対する内ケースの装着方法を示す図である。
【図９】図６におけるＺ−Ｚ矢視図である。
【符号の説明】
【００３７】
１      ケース本体
２      内ケース
３      ペダル体
３ａ    ストッパー
４      蓋
５      取手
６      切欠き
７      丸穴
８      リブ
９      延出部
１０    保持穴
１１    仕切壁
１２    スリット
１２ａ  突出片
１３    コ字形状溝
１３ａ  揺動片
１３ｂ  膨出部
１４    穴
１５    支軸
１６    収容部
１７    キャスター
１８    ビニール袋
１８ａ  持ち手部
Ａ      収納ケース
【図１】
0003105988.tif 000003
【図２】
0003105988.tif 000004
【図３】
0003105988.tif 000005
【図４】
0003105988.tif 000006
【図５】
0003105988.tif 000007
【図６】
0003105988.tif 000008
【図７】
0003105988.tif 000009
【図８】
0003105988.tif 000010
【図９】
0003105988.tif 000011